(57)【要約】【課題】  ころが複列に設けられたころ軸受において、ころと内輪または軸、およびころと外輪また軸受使用機器の接触面圧を低減し、振動や騒音を抑えて、転動疲労寿命の延長を図る。【解決手段】  ころ軸受は、円周方向複数箇所に互いに軸方向に離れて位置する複列のポケット３ａを有するリング状の保持器３と、この保持器３の前記複列の各ポケット３ａに保持された複数のころ２とを備え、これら複数のころ２が、内輪または軸４の外周面からなる内輪側周面４ａ、および外輪１または軸受使用機器の内周面からなる外輪側周面１ａに転接する。前記保持器３における前記複列のポケット３ａの軸方向内側に位置する中央部５を、その内周面および外周面が前記内輪側周面４ａおよび外輪側周面１ａに滑り接触する滑り軸受として機能させる。【選択図】        図１
2008106833.tif 000002
【特許請求の範囲】
【請求項１】
円周方向複数箇所に互いに軸方向に離れて位置する複列のポケットを有するリング状の保持器と、この保持器の前記複列の各ポケットに保持された複数のころとを備え、これら複数のころが、内輪または軸の外周面からなる内輪側周面、および外輪または軸受使用機器の内周面からなる外輪側周面に転接するころ軸受において、
前記保持器における前記複列のポケットの軸方向内側に位置する中央部を、その内周面および外周面が前記内輪側周面および外輪側周面に滑り接触して滑り軸受として機能するものとしたことを特徴とするころ軸受。
【請求項２】
請求項１において、前記保持器の中央部の内周面および外周面に、油膜形成能力を高める手段を設けたころ軸受。
【請求項３】
請求項２において、前記油膜形成能力を高める手段が、前記保持器の中央部の内周面および外周面に付与され、軸方向に垂直な断面が、円弧状、三角形状、若しくは長方形状等の波形となる断面形状、または前記保持器の中央部の内周面および外周面に分散して設けたディンプル若しくは突起であるころ軸受。
【請求項４】
請求項１〜請求項３のいずれか１項において、前記保持器を、円周方向に並ぶ２個の分割体に分割したころ軸受。
【請求項５】
請求項１〜請求項３のいずれか１項において、外輪を有し、この外輪および前記保持器のいずれかまたは両方を、円周方向に並ぶ２個の分割体に分割したころ軸受。
【発明の詳細な説明】
【技術分野】
【０００１】
この発明は、特に自動車用エンジンのクランク軸やカムシャフトの支持部、あるいはコンロッドとクランク軸およびピストンとの連結部等のような変動荷重を受ける箇所に使用するに適したころ軸受に関する。
【背景技術】
【０００２】
図７は自動車用エンジンのクランク軸およびコンロッドを示している。クランク軸１０は、回転中心軸１０ａと、バランスウェイト１０ｂと、クランクピン１０ｃとで構成され、回転中心軸１０ａが軸受１２により回転自在に支持されている。コンロッド１１は、両端の大径端部１１ａおよび小径端部１１ｂにそれぞれピン挿入穴１１ｃが形成されており、大径端部１１ａのピン挿入穴１１ｃには前記クランクピン１０ｃがコンロッド１１に対して軸受１３を介して回転自在に挿入され、小径端部１１ｂのピン挿入穴１１ｃにはピストンピン（図示せず）が軸受（図示せず）を介してコンロッド１１に対して回転自在に挿入されている。
【０００３】
上記クランク軸１０の支持部に用いられる軸受１２や、コンロッド１１とクランク軸１０の連結部に用いられる軸受１３は、ピストンの爆発的な往復運動に伴う変動荷重を受ける。このため、上記軸受としてころ軸受または針状ころ軸受が使用される場合、振動や騒音が大きいという問題がある。また、軸受の長寿命化が望まれる。これらの問題は、カムシャフトを支持する軸受についても言える。
【０００４】
このような問題に対する従来技術として、転がり軸受のアウターレースの外周面とシャフト穴内周面との間にオイルフィルム部を形成して騒音の防止を図ったものがある（特許文献１）。
【０００５】
また、クランク軸の主支承装置の製造および組立を容易にするために、クランク軸支持用軸受を、外輪に当たるハーフシェルが分割され、それがスリットの設けられた弾性的リングで取り囲んだ構造とした従来技術がある（特許文献２）。
【特許文献１】特開平６−２２９４１５号公報
【特許文献２】特表２００２−５２５５３３号公報
【発明の開示】
【発明が解決しようとする課題】
【０００６】
特許文献１に記載の軸受は、アウターレースの外周面とシャフト孔内周面との間に均一間隔の間隙を形成し、その間隙に潤滑油を充填してオイルフィルムとしたものである。この構成は、オイルフィルムのクッション作用は得られるものの、潤滑油自体でラジアル方向の軸荷重を支持するという作用はあまり得られない。このため、クランク軸の支持部や、コンロッドとクランク軸の連結部等の変動荷重を受ける箇所に使用した場合、振動や騒音の低減を十分に達成することはできない。また、軸受の長寿命化の達成は困難である。
【０００７】
ころが複列に設けられたころ軸受の場合、複列のころ間に軸荷重を支持しない箇所ができるため、軸受の軸方向寸法の割には軸荷重の支持能力が低い。このため、ころと内輪または軸、およびころと外輪また軸受使用機器の接触面圧が高くなりがちとなり、振動や騒音の問題、および転動疲労寿命が短いという問題が現れやすい。
【０００８】
この発明の目的は、ころが複列に設けられたころ軸受において、ころと内輪または軸、およびころと外輪また軸受使用機器の接触面圧を低減し、振動や騒音を抑えて、転動疲労寿命の延長を図ることである。
【課題を解決するための手段】
【０００９】
この発明のころ軸受は、円周方向複数箇所に互いに軸方向に離れて位置する複列のポケットを有するリング状の保持器と、この保持器の前記複列の各ポケットに保持された複数のころとを備え、これら複数のころが、内輪または軸の外周面からなる内輪側周面、および外輪または軸受使用機器の内周面からなる外輪側周面に転接するころ軸受において、前記保持器における前記複列のポケットの軸方向内側に位置する中央部を、その内周面および外周面が前記内輪側周面および外輪側周面に滑り接触して滑り軸受として機能するものとしたことを特徴とする。保持器の中央部の内周面と内輪側周面との間、および保持器の中央部の外周面と外輪側周面との間には潤滑油を保持させる。
この構成とすると、保持器の中央部が、内輪または軸、および外輪または軸受使用機器に対する滑り軸受として機能するため、保持器により軸荷重の一部を負担することができる。そのため、ころと内輪または軸、およびころと外輪または軸受使用機器の接触面圧を低減することができる。接触面圧が低下することで、転動疲労に対する軸受寿命の延長が可能となる。また、保持器の中央部と内輪または軸との間の隙間、および保持器の中央部と外輪または軸受使用機器との間の隙間に形成される油膜のスクイズフィルムダンパ作用によって、ころと内輪または軸との接触部、およびころと外輪または軸受使用機器との接触部で生じる振動および騒音を低減することができる。
【００１０】
前記保持器の中央部の内周面および外周面に、油膜形成能力を高める手段を設けるのが良い。その場合、前記油膜形成能力を高める手段は、前記保持器の中央部の内周面および外周面に付与され、軸方向に垂直な断面が、円弧状、三角形状、若しくは長方形状等の波形となる断面形状、または前記保持器の中央部の内周面および外周面に分散して設けたディンプル若しくは突起とすることができる。
このように保持器の中央部の内周面および外周面に油膜形成能力を高める手段を設けると、保持器の中央部の内周面と内輪側周面との間、および保持器の中央部の外周面と外輪側周面との間に形成される潤滑油の油膜の作用により負荷容量が向上する。その油膜によって軸荷重を支持することにより、ころと内輪または軸、およびころと外輪または軸受使用機器の接触面圧を低減することが可能になる。
【００１１】
この発明において、前記保持器を、円周方向に並ぶ２個の分割体に分割することができる。また、外輪を有する場合、この外輪および前記保持器のいずれかまたは両方を、円周方向に並ぶ２個の分割体に分割することができる。
保持器や外輪を２個の分割体に分割すると、軸受の組立が容易になる。
【発明の効果】
【００１２】
この発明のころ軸受は、円周方向複数箇所に互いに軸方向に離れて位置する複列のポケットを有するリング状の保持器と、この保持器の前記複列の各ポケットに保持された複数のころとを備え、これら複数のころが、内輪または軸の外周面からなる内輪側周面、および外輪または軸受使用機器の内周面からなる外輪側周面に転接するころ軸受において、前記保持器における前記複列のポケットの軸方向内側に位置する中央部を、その内周面および外周面が前記内輪側周面および外輪側周面に滑り接触して滑り軸受として機能するものとしたため、ころと内輪または軸、およびころと外輪また軸受使用機器の接触面圧を低減し、振動や騒音を抑えて、転動疲労寿命の延長を図ることができる。
【発明を実施するための最良の形態】
【００１３】
この発明の実施形態を図１〜図３と共に説明する。このころ軸受は、外輪１と、この外輪１の内周面からなる外輪側周面１ａに転接する複列のころ２と、リング状の保持器３とを有する。保持器３には円周方向に並ぶ複数のポケット３ａが複列設けられ、各ポケット３ａにころ２が保持されている。この実施形態では、ころ２の配列は２列とされている。内輪は無く、この軸受が支持する軸４の外周面からなる内輪側周面４ａにころ２が転接している。外輪１と軸４との間の軸受空間は図示しない密封手段により密封されており、この密封された軸受空間内に潤滑油が保持されている。あるいは、図示しない潤滑油供給孔から潤滑油が供給され軸受空間内に潤滑油が保持される。図３に示すように、外輪１および保持器３は、それぞれ円周方向に並ぶ２個の外輪分割体１１，１２および保持器分割体３１，３２に分割されている。
【００１４】
保持器３は、２列のポケット３ａの軸方向内側に位置する中央部５と、各列のポケット３ａの軸方向外側に位置する外端部６と、上記中央部５と外端部６とを繋ぐ円周方向複数箇所の柱部７とからなり、隣合う柱部７間が、ころ２を保持するポケット３ａとなっている。中央部５の内周面および外周面は、内輪側周面４ａおよび外輪側周面１ａにそれぞれ沿う平滑面として形成されている。
【００１５】
保持器３が上記形状であることにより、保持器中央部５の内周面と軸４の内輪側周面４ａとの間の隙間、および保持器中央部５の外周面と外輪１の外輪側周面１ａとの間の隙間に潤滑油が保持される。このように保持された潤滑油の油膜を介して、保持器３と軸４、および保持器３と外輪１とが互いに滑り接触する。このため、保持器中央部５の内周面は、軸４と円滑に回転自在でラジアル方向の荷重を支持することのできる滑り軸受として機能する。同様に、保持器中央部５の外周面は、外輪１と円滑に回転自在でラジアル方向の荷重を支持することのできる滑り軸受として機能する。すなわち、保持器３は、各列複数のころ２を等間隔に保持する役割と、ころ２と共に軸荷重の一部を負担する役割とを担っている。
【００１６】
このころ軸受は、例えば図７に示すクランク軸１０支持用の軸受１２や、コンロッド１１とクランク軸１０の連結部の軸受１３に適用される。軸受１２に適用する場合、軸４はクランク軸１０の回転中心軸１０ａである。また、軸受１３に適用する場合、軸４はクランク軸１０のクランクピン１０ｃであり、外輪１はコンロッド１１の大径端部１１ａである。このころ軸受は、上記軸受１２，１３の他に、コンロッド１１の小径端部１１ｂとピストンピン（図示せず）との連結部の軸受や、カムシャフト支持部の軸受にも適用することもできる。さらに、これら以外の変動荷重を受ける箇所の軸受として適用することができる。外輪１および保持器３が２分割されているため、組立性が良好である。
【００１７】
上記構成のころ軸受は、保持器中央部５が軸４および外輪１に対して滑り軸受として機能してラジアル方向の荷重を支持するため、ころ２と軸４との接触面圧、およびころ２と外輪１との接触面圧を低減することができる。接触面圧が低下することで、転動疲労に対する軸受寿命の延長が可能となる。また、保持器中央部５と軸４との間の隙間、および保持器中央部５と外輪１との間の隙間に形成される油膜のスクイズフィルムダンパ作用によって、ころ２と軸４との接触部、およびころ２と外輪１との接触部で生じる振動および騒音を低減することができる。
【００１８】
図４〜図６は上記実施形態のものとは保持器中央部５の内外周面の軸方向に垂直な断面形状が異なる保持器を示す。図４は円弧を連ねてなる波形の断面形状としたものである。図５は三角形状の凹凸となる波形の断面形状としたものである。図６は長方形状の凹凸となる波形状断面形状としたものである。
【００１９】
保持器中央部５の内周面および外周面を図４〜図６のいずれの断面形状にした場合でも、保持器３と軸４、あるいは保持器３と外輪１が相対運動する時、保持器中央部５の内周面と内輪側周面４ａとの間、および保持器中央部５の外周面と外輪側周面１ａとの間に油膜形成を促進することができる。この油膜を介して保持器３が軸荷重の一部を支持することにより、ころ２と軸４との接触面圧、およびころ２と外輪１との接触面圧を低減することが可能になる。
【００２０】
保持器３の内周面および外周面での油膜形成能力を高める手段としては、上記図４〜図６のように表面を波形となる断面形状とする代わりに、表面にディンプル若しくは突起を分散して設けたものとしても良い（図示省略）。
【００２１】
上記実施形態では、ころ２の配列を２列としているが、ころ２の配列を３列以上としてもよい。その場合、滑り軸受として機能する保持器中央部５が軸方向に複数設けられる。
また、上記実施形態では、内輪が無く、ころ２が軸４に直接に接触する構成のころ軸受を例示しているが、この発明は、内輪を有するころ軸受にも適用できる。その場合、内輪の外周面が内輪側周面４ａとなる。また、外輪１を有しない軸受にも適用できる。その場合、軸受使用機器の内周面が外輪側周面１ａとなる。いずれの場合も、上記実施形態と同様な作用効果が得られる。
なお、外輪１を有しないころ軸受の場合は、軸受の組立性を向上させるために、保持器３のみを円周方向に並ぶ２個の分割体３１，３２に分割する。
【図面の簡単な説明】
【００２２】
【図１】この発明の実施形態にかかるころ軸受の一部を省略した図で、（Ａ）はＩＡ−Ｏ−ＩＡ´断面図、（Ｂ）はＩＢ−ＩＢ断面図、（Ｃ）はＩＣ−ＩＣ断面図である。
【図２】図１（Ｂ）のII部拡大図である。
【図３】同ころ軸受の外輪および保持器を示す正面図である。
【図４】異なる保持器を有するころ軸受の一部の断面図である。
【図５】さらに異なる保持器を有するころ軸受の一部の断面図である。
【図６】さらに異なる保持器を有するころ軸受の一部の断面図である。
【図７】自動車用エンジンのクランク軸およびコンロッドを示す説明図である。
【符号の説明】
【００２３】
１…外輪
１１，１２…外輪分割体
１ａ…外輪側周面
２…ころ
３…保持器
３１，３２…保持器分割体
３ａ…ポケット
４…軸
４ａ…内輪側周面
５…保持器中央部
６…保持器外端部
７…柱部
【図１】
2008106833.tif 000003
【図２】
2008106833.tif 000004
【図３】
2008106833.tif 000005
【図４】
2008106833.tif 000006
【図５】
2008106833.tif 000007
【図６】
2008106833.tif 000008
【図７】
2008106833.tif 000009